(57)【要約】【課題】ショルダーベルトで肩に掛けて背負った玉網を容易に取り外せるようにすることである。【解決手段】玉網１は、柄２の上部側に枠３が取り付けられ、この枠３に魚を掬うための網４が枠３に沿って開口するように取り付けけられている。柄２の長手方向の上下位置にそれぞれショルダーベルト５の両端部が取り付けられる。ショルダーベルト５は、柄２の上部側に取り付けられた上ベルト６と柄２の下部側に取り付けられた下ベルト７を有し、それぞれ上ベルト６と下ベルト７は互いに係合部８で着脱可能に係合している。【選択図】    図１
2011030527.tif 000002
【特許請求の範囲】
【請求項１】
ショルダーベルトを有する玉網において、前記ショルダーベルトの両端部を除く位置に前記ショルダーベルトを上下に分離可能な係合部を設けたことを特徴とする玉網。
【請求項２】
ショルダーベルトは両端部をそれぞれ柄の上下位置に取り付けたことを特徴とする請求項１に記載の玉網。
【請求項３】
係合部は、一動作で分離可能に形成したことを特徴とする請求項１または２に記載の玉網。
【請求項４】
係合部は、ショルダーベルトの上部または中央部に設けたことを特徴とする請求項１から３のいずれか１つに記載の玉網。
【発明の詳細な説明】
【技術分野】
【０００１】
本発明は、魚釣りで釣れた魚を掬う玉網に関する。
【背景技術】
【０００２】
従来から釣りにおいては、魚を逃さず安全に釣り上げるために魚を掬う玉網が使用されている。
釣りに使用される玉網は、魚を掬う網とこの網が取り付けられた枠を有し、この枠に適当な長さの柄が取り付けられている。
釣り人は、釣りをしなが玉網が使用できるようにそれぞれベルトに差し込んで保持したり、釣り服にフックなどを用いて係止したり、玉網にショルダーベルトを取り付けて肩に掛けて玉網を背負うようにして携帯していた。
ところが、上記のうち、ショルダーベルトで玉網を背負うと、魚が掛かった時に釣竿を操作しながらすぐに肩からショルダーベルトを外して玉網を使用することは難しく、魚を逃してしまうことがあった。
【特許文献１】特開平１１−１９６７１２号
【発明の概要】
【発明が解決しようとする課題】
【０００３】
解決しようとする問題点は、ショルダーベルトを設けた玉網をショルダーベルトで背負うと、肩から外すことが難しいことである。
【０００４】
本発明の目的は前記欠点に鑑み、ショルダーベルトで肩に掛けて背負った玉網をすぐに取り外せるようにすることである。
【課題を解決するための手段】
【０００５】
本発明の請求項１は、ショルダーベルトを有する玉網において、前記ショルダーベルトの両端部を除く位置に前記ショルダーベルトを上下に分離可能な係合部を設けたことを要旨とするものである。
本発明の請求項２は、ショルダーベルトは両端部をそれぞれ柄の上下位置に取り付けたことを要旨とするものである。
本発明の請求項３は、係合部は、一動作で分離可能に形成したことを要旨とするものである。
本発明の請求項４は、係合部は、ショルダーベルトの上部または中央部に設けたことを要旨とするものである。
【発明の効果】
【０００６】
本発明の請求項１によると、ショルダーベルトで肩に掛けて背負った玉網をショルダーベルトを分離することで容易に肩から取り外すことができる。
本発明の請求項２によると、ショルダーベルトの両端部をそれぞれ柄の上下位置に取り付けたため安定して背負うことができる。
本発明の請求項３によると、肩に掛けて背負った玉網のショルダーベルトを簡単な操作で素早く分離することができる。
本発明の請求項４によると、ショルダーベルトで肩に掛けて背負った玉網の係合部に容易に手が届いて操作しやすくなる。
【産業上の利用可能性】
【０００７】
本発明は魚釣りで釣れた魚を掬う玉網全般に利用できる。
【図面の簡単な説明】
【０００８】
【図１】図１は、第１実施例で玉網の全体図である。
【図２】図２は、同玉網のショルダーベルトに設けた係合部の断面図である。
【図３】図３は、同玉網をショルダーベルトで肩に掛けて背負った状態の説明図である。
【図４】図４は、第２実施例で玉網の全体図である。
【図５】図５は、同玉網のショルダーベルトに設けた係合部の断面図である。
【図６】図６は、同玉網のショルダーベルトに設けた係合部の正面図である。
【発明を実施するための最良の形態】
【０００９】
本願発明を図示の実施例によって説明すると、図１から図３は本願の第１実施例で、図１は玉網の全体図、図２はショルダーベルトに設けた係合部の断面図、図３は玉網をショルダーベルトで肩に掛けて背負った状態の説明図である。
【００１０】
玉網１は、柄２の上部側に枠３が取り付けられ、この枠３に魚を掬うための網４が枠３に沿って開口するように取り付けられている。
【００１１】
柄２は、釣れた魚を少し離れた水面まで引き寄せた状態で魚を掬うことができるように網４を魚に向けて安定して差し出すことができるようにする棒体で、その長手方向の上部側に枠３と共に網４が取り付けられ、下部側が釣り人Ｔの握持部となっている。
【００１２】
柄２は、天然木や金属や合成樹脂（繊維強化樹脂を含む）等で形成され、ソリッド状に形成される他、管状に形成して順次複数の柄の部材を収納して伸縮可能な振り出し状の柄としてもよい。
この場合は、最も先端側（上端側）となる柄の先端部に枠３が取り付けられる。
【００１３】
枠３は、天然木や金属や合成樹脂（繊維強化樹脂を含む）等で環状に形成されたフレームで、記載しないがその一部に柄２に対する取付部が形成され、螺子杆等が突設され柄２の先端に着脱可能に螺合される。
【００１４】
網４は、木綿等の天然材やゴムや合成樹脂等で形成され、一体に形成するか、または、モノフィラメント、またはマルチフィラメントの線材を網目を有するように編んで有底で開口を有する袋状に形成され、その開口側が枠３に保持される。
【００１５】
柄２には、ショルダーベルト５が取り付けられるが、この柄２は、単体で形成された場合はその上下位置に、また、複数の柄部材で振り出し状に形成した場合は最も下部側となる柄２の長手方向の上下位置にそれぞれショルダーベルト５の両端部が取り付けられる。
なお、ショルダーベルト５は、天然皮革や合成樹脂等で帯状に形成されて柔軟性を有し、好ましくは合成樹脂繊維の織布で帯状に形成される。
【００１６】
ショルダーベルト５の両端部には、表裏が貼着可能な面テープから成る取付部１１ａ、１１ｂが取り付けられており、柄２に巻回して表裏の雄雌の貼着部同士を向かい合わせ状に貼着して柄２に対しショルダーベルト５を着脱可能に取り付けている。
このように柄２に取り付けたショルダーベルト５は、それぞれの端部が柄２の上部側と下部側に適度な間隔を持って取り付けられ、柄２の上下の取り付け間隔より長く形成され長手方向に沿ってやや余裕を持って延びるように配されている。
【００１７】
ショルダーベルト５は、図１から図３に二点鎖線で示したように取付部１１ａによって柄２の上部側（枠３、網４側）に取り付けられた上ベルト６と取付部１１ｂによって柄２の下部側（柄２の枠３、網４を取り付けた側と反対側の握持部側）に取り付けられた下ベルト７を有し、それぞれ上ベルト６と下ベルト７は互いに係合部８で着脱可能に係合している。
【００１８】
係合部８は、受け体（係止体）９と係合体１０からなり、合成樹脂でバックル状に形成され、上ベルト６と下ベルト７に何れか一方を設けており、受け体（係止体）９と係合体１０は互いに着脱可能に係合するようになっている。
第１実施例では上ベルト６の下端側に係合体１０を取り付け、下ベルト７の上端側に受け体（係止体）９を取り付けた。
それぞれ受け体９はその基部９ｅの保持孔９ｆに下ベルト７を挿通して折り返しこの端部を下ベルト７に重ねて縫着、接着、リベット止等で止着し、係合体１０も同様にその基部１０ｅの保持孔１０ｆに上ベルト６を挿通して折り返しこの端部を上ベルト６に重ねて下ベルトと同様に止着し保持される。
【００１９】
受け体９は、上ベルト６に向けて差し込み口９ｃを有し、左右両側に窓孔９ａを有する角筒体で、窓孔９ａの差し込み口９ｃ側の縁部が係止部９ｂとなっている。
【００２０】
係合体１０は、基部１０ｅから支持片１０ｄを介して受け体９方向に突出する左右一対の操作体１０ａを有し、この支持片１０ｄは可撓性を有し変形可能に形成されている。
【００２１】
受け体９と係合体１０が互いに係合するときは、受け体９の差し込み口９ｃに係合体１０の先端側の操作体１０ａを差し込むと、受け体９の差し込み口９ｃに当接した係合体１０の左右の操作体１０ａは支持片１０ｄが歪んで互いに接近するように移動し、受け体９の左右両側に窓孔９ａから支持片１０ｄの変形が解除されて覗くように突出する。
この時、係合体１０の操作体１０ａの基部１０ｅ（支持片１０ｄ）側の係合段部１０ｂが受け体９の窓孔９ａの差し込み口９ｃ側の縁部が係止部９ｂとなって係合体１０の操作体１０ａの基部１０ｅ（支持片１０ｄ）側の係合段部１０ｂが掛け止めされて受け体９と係合体１０が互いに係合する。
【００２２】
受け体９と係合体１０の係合を解除するときは、係合部８の左右の操作体１０ａを押して操作体１０ａの係合段部１０ｂと窓孔９ａの縁部の係止部９ｂの係合を解除することで操作体１０ａ外側の湾曲面によって係合体１０が受け体９から押し出され、受け体９と係合体１０が分離する。
【００２３】
図３のように、釣り人Ｔは、ショルダーベルト５を肩に掛けるとショルダーベルト５が体の前側を、柄２が背中側をそれぞれ斜めに横切るようにして玉網１を背負うことができ、釣り場では、玉網１を携帯しながら両手が空いて余裕を持って釣竿を持つことができる。
この状態で、釣りをしているときは、係合部８が釣り人Ｔの体の正面側に位置する。
魚を取り込むときは係合部８をショルダーベルト５の下ベルト７と係合部８を握持し保持しながら操作体１０ａを押して受け体９と係合体１０の係合を解除してショルダーベルト５を上下に分離して背負った玉網１を素早く取り外して魚を掬うことができる。
つまり釣り人Ｔは、操作体１０ａを押す一動作で受け体（係止体）９と係合体１０の係合を解除することができる。
【００２４】
係合部８は、ショルダーベルト５の両端部を除いて設けられる。
すなわち、ショルダーベルト５の両端部はそれぞれ取り付け部１１ａ、１１ｂで柄２に取り付けられるが、ショルダーベルト５の両端部は少なくともそれぞれ上ベルト６と下ベルト７を有している。
【００２５】
係合部８は、ショルダーベルト５の両端部を除いて何れの位置に設けてもよいが、より好ましくは係合部８は、ショルダーベルト５を長手方向に上部、中央部、下部に３等分したときに上部から中央部の領域に配すると、ショルダーベルト５を肩に掛けて玉網１を背負った時に係合部８が釣り人Ｔの体の正面側の肩から腹部の領域の手を添えやすい位置に配されてより操作が容易にできる。
【００２６】
図４から図６は本願の第２実施例で、図４は玉網の全体図、図５はショルダーベルトに設けた係合部の断面図、図６はショルダーベルトの正面図である。
【００２７】
第２実施例の玉網１は、第１実施例と同じ柄２、枠３、網４が取り付けられ、係合部２０を有するショルダーベルト５が第１実施例と同様に取り付け部１１ａ、１１ｂにて柄２に取り付けられている。
【００２８】
第２実施例の玉網１の係合部２０は、図５、図６に示すように上ベルト６にショルダーベルト５の長手方向に貫通する孔２４ｂを有し柄２の反対側（柄２から離れる方向）に向けて突出する突部２４ａが突設された係止体２４を有し、一方、下ベルト７には係止体２４の突部２４ａを差し込み可能な孔２２ａを有する係止片２２が取り付けられ、更に下ベルト７に留め具２３ｂにて止着された可撓性を有するベルト体２３ａとその先端に係止体２４の突部２４ａの孔２４ｂに差し込み可能な係合片２３が設けられ、この係合片２３には可撓性を有する引き手ベルト２３ｃが取り付けられ、さらに引き手ベルト２３ｃの端部には摘み２３ｄが取り付けられて係合体２１が形成されている。
【００２９】
係合部２０は、上ベルト６側の係止体２４の突部２４ａに孔２２ａにて係合した下ベルト７側の係止片２を係止体２４の突部２４ａの孔２４ｂに差し込んだ係合片２３にて抜け止めすることで係止体２４と係合体２１を係合している。
【００３０】
係合部２０における係合体２１と係止体２４の係合を解除してショルダーベルト５を上ベルト６側と下ベルト７側に分離するためには、釣り人Ｔは玉網１を背負った状態で体の正面側に掛かるショルダーベルト５の下ベルト７の摘み２３ｄを掴んで図５の矢印の方向に引き手ベルト２３ｃを上ベルト６側の係止体２４から離すように引くことで係合片２３を係止体２４の突部２４ａの孔２４ｂへの差し込み状態を維持している可撓性を有するベルト体２３ａの弾性に抗してこれを変形させて係合片２３を係止体２４の突部２４ａの孔２４ｂから引き抜くことができる。
なお、可撓性を有するベルト体２３ａの弾性は素材の選択やベルト体２３ａの長さを変えることで変えることができ、係合片２３の孔２４ｂからの引き抜き強さ具合を調節することができる。
【００３１】
さらに、摘み２３ｄにて引き手ベルト２３ｃを上ベルト６側の係止体２４から離すように引くことで引き手ベルト２３ｃが止着された下ベルト７が引かれて係止体２４の突部２４ａが孔２２ａに差し込まれて保持されていた係止片２２が引き抜かれて図６に矢印で示したように係合体２１と係止体２４の係合が解除されて分離される。
つまり、係合部２０における係合体２１と係止体２４の係合は、摘み２３ｄを掴んで引き手ベルト２３ｃを引く一動作で解除することができる。
【００３２】
摘み２３ｄを掴んで引き手ベルト２３ｃを引くことで釣り人Ｔは、下ベルト７の一部分を握持するため係合体２１と係止体２４の係合が解除されてショルダーベルト５が上ベルト６側と下ベルト７側に分離しても不用意に玉網１を落としてしまうことが防止される。
【００３３】
本願によれば、ショルダーベルトを取り付けた玉網を背負って釣りをしている場合に必要なときはすぐに取り外して使用できるようにするためショルダーベルトをその端部を除いて分離できるようにして、分離操作を身体の正面側で容易に行うことができようにしたものであり、本願発明の実施例の係合部８、２０に限定されず、これ以外の構造で実施することもできる。
【符号の説明】
【００３４】
１    玉網
２    柄
３    枠
４    網
５    ショルダーベルト
６    上ベルト
７    下ベルト
８、２０  係合部
【図１】
2011030527.tif 000003
【図２】
2011030527.tif 000004
【図３】
2011030527.tif 000005
【図４】
2011030527.tif 000006
【図５】
2011030527.tif 000007
【図６】
2011030527.tif 000008